【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
聴覚装置の聴覚装置設定を更新するための方法であって、
設定パッケージと、ディスペンサー証明書を含む設定認証パッケージとを受信するステップであって、前記設定認証パッケージは、補聴フィッティング装置からの入力に基づいてサーバによって生成されるステップと、
更新基準が満たされているかどうかを判定するステップであって、前記判定するステップは、前記設定認証パッケージを検証するステップを含むステップと、
前記更新基準が満たされている場合、前記設定パッケージに基づいて、前記聴覚装置設定を更新するステップと、を含む、方法。
【請求項２】
前記設定パッケージと前記設定認証パッケージとが、ユーザ付属装置から受信される、請求項１に記載の方法。
【請求項３】
前記更新基準が満たされているかどうかを判定するステップが、前記ディスペンサー証明書を検証するステップを含む、請求項１に記載の方法。
【請求項４】
前記ディスペンサー証明書を検証するステップが、証明書キーを使用して前記ディスペンサー証明書を復号するステップを含む、請求項３に記載の方法。
【請求項５】
前記設定認証パッケージが、認証データをさらに含み、
前記ディスペンサー証明書を検証するステップが、前記認証データの１つまたは複数の要素を前記ディスペンサー証明書の対応する１つまたは複数の要素と比較するステップを含み、前記認証データの少なくとも１つまたは複数の要素の１つが前記ディスペンサー証明書の前記対応する要素と一致しない場合には、前記ディスペンサー証明書を検証するステップが失敗する、請求項３に記載の方法。
【請求項６】
前記ディスペンサー証明書を検証するステップが、証明書キーを使用して前記ディスペンサー証明書を復号するステップを含み、前記認証データの前記１つまたは複数の要素を前記ディスペンサー証明書の前記対応する１つまたは複数の要素と比較するステップが、プレーンテキストで受信された前記認証データの前記１つまたは複数の要素を、前記復号されたディスペンサー証明書の前記対応する１つまたは複数の要素と比較するステップを含む、請求項５に記載の方法。
【請求項７】
前記ディスペンサー証明書を検証するステップが、前記補聴フィッティング装置および／または前記ディスペンサーがブラックリストに載っているかどうかを判定するステップを含む、請求項３に記載の方法。
【請求項８】
前記設定パッケージに基づいて前記聴覚装置設定を更新するステップが、設定セッションキーを使用して前記設定パッケージを復号するステップを含む、請求項１に記載の方法。
【請求項９】
前記設定パッケージが、設定データ完全性指標を含み、前記聴覚装置設定を更新するステップが、前記設定データ完全性指標を検証するステップを含み、
前記方法は更に、前記設定データ完全性指標を検証するステップが失敗した場合、前記更新するステップを終了するステップを含む、請求項１に記載の方法。
【請求項１０】
前記聴覚装置が、補聴器である、請求項１に記載の方法。
【請求項１１】
ユーザ付属装置において実行される、聴覚装置の遠隔設定のための方法であって、
設定検証パッケージ、設定認証パッケージ、および、設定ペイロードブロックと制御ブロックとを含む設定パッケージであって前記聴覚装置を更新するための前記設定パッケージのうちの、２つまたはそれ以上を受信するステップと、
前記設定検証パッケージ、前記設定認証パッケージ、前記設定パッケージ、または、それらの任意の組み合わせに基づいて検証基準が満たされているかどうかを判定するステップと、
前記検証基準が満たされている場合、前記設定認証パッケージ、前記設定パッケージ、前記設定パッケージ、または、それらの任意の組み合わせを、前記聴覚装置へ送信するステップと、を含み、
前記設定認証パッケージおよび／または前記設定パッケージは、補聴フィッティング装置と聴覚装置製造業者によって制御可能なサーバとの協同に基づいて生成され、前記設定認証パッケージは、前記補聴フィッティング装置からの入力に基づいてサーバによって生成される、方法。
【請求項１２】
前記設定認証パッケージが、デジタル署名を含み、
前記検証基準が満たされるかどうか判定するステップは、前記デジタル署名に基づいて実行される、請求項１１に記載の方法。
【請求項１３】
前記設定検証パッケージが、完全性指標の組および／またはデジタル署名を含み、前記検証基準が満たされるかどうか判定するステップは、
前記デジタル署名を検証するステップ、および／または
前記完全性指標の組を検証するステップ、を含む請求項１１に記載の方法。
【請求項１４】
前記設定検証パッケージおよび／または前記設定認証パッケージが、聴覚装置識別子および／またはアドレス識別子を含み、前記検証基準が満たされるかどうか判定するステップは、
前記聴覚装置に関連づけられた前記聴覚装置識別子に基づいて第１の検証を実行するステップ、および／または
前記聴覚装置に関連づけられた前記アドレス識別子に基づいて第２の検証を実行するステップ、を含む、請求項１１に記載の方法。
【請求項１５】
前記聴覚装置が、補聴器を含む、請求項１１に記載の方法。
【請求項１６】
聴覚装置設定に基づいてユーザの聴力損失を補償するように構成されたプロセッサを含む聴覚装置であって、
前記聴覚装置は、付属装置から受信される設定認証パッケージに基づいて更新基準が満たされる場合、設定パッケージに基づいて前記聴覚装置設定を更新するように構成されており、
前記設定認証パッケージは、ディスペンサー証明書を含み、
前記設定認証パッケージは、補聴フィッティング装置からの入力に基づいてサーバによって生成される、聴覚装置。
【請求項１７】
命令セットを格納しているプロセッサが読み取り可能な記憶媒体を有し、ユーザ付属装置の処理ユニットの処理によって方法が実行されるプログラム製品であって、
前記方法は、
設定検証パッケージ、設定認証パッケージ、および、設定ペイロードブロックおよび制御ブロックを含む設定パッケージであって聴覚装置を更新するための前記設定パッケージ、のうちの２つまたはそれ以上を受信するステップと、
前記設定検証パッケージ、前記設定認証パッケージ、前記設定パッケージ、または、それらの任意の組み合わせに基づいて検証基準が満たされているかどうかを判定するステップと、
前記検証基準が満たされている場合、前記設定認証パッケージ、前記設定パッケージ、前記設定パッケージ、または、それらの任意の組み合わせを、前記聴覚装置へ送信するステップと、を含み、
前記設定認証パッケージおよび／または前記設定パッケージは、補聴フィッティング装置と聴覚装置製造業者によって制御可能なサーバとの協同に基づいて生成され、前記設定認証パッケージは、前記補聴フィッティング装置からの入力に基づいてサーバによって生成される、プログラム製品。
【請求項１８】
前記サーバが聴覚装置製造業者によって制御可能である、請求項１に記載の方法。
【請求項１９】
前記受信するステップ、および、前記更新基準が満たされるかどうか判定するステップが、前記聴覚装置によって実行される、請求項１に記載の方法。
【請求項２０】
前記サーバが聴覚装置製造業者によって制御可能である、請求項１６に記載の聴覚装置。
【請求項２１】
前記聴覚装置が、前記設定パッケージと前記設定認証パッケージとを受信するように構成されている、請求項１６に記載の聴覚装置。